(57)【要約】【課題】製造時に、出荷までの管理を容易に行うことができるテレビチューナの製造方法を提供する。【解決手段】機能部品である選局回路と、復調回路と、不揮発性メモリと、ＣＰＵとを回路基板２７へ実装する（工程１０１）作業を行い、次に、不揮発性メモリに、テレビチューナの機種に拘らない共通のプログラムであるチューナ制御ソフトとしてのハードウェアドライバソフト、アプリケーションインタフェースソフト、チャンネルコントロールソフト等をダウンロードする（工程１０２）。その後に、ここまで工程を終了したテレビチューナの検査を行う工程１０３）。次に、不揮発性メモリ２５に、テレビチューナの機種に特有のプログラム（顧客毎に異なる）であるテレビ制御ソフトとしてのディスプレイメニュー制御ソフト、リモコンデザインソフト等をダウンロードして出荷される（工程１０４、１０５）。【選択図】      図１
2006325111.tif 000002
【特許請求の範囲】
【請求項１】
選局回路と、復調回路と、不揮発性メモリと、ＣＰＵとを備えて構成されるテレビチューナの製造方法において、前記選局回路と、復調回路と、不揮発性メモリと、ＣＰＵとを含む部品を実装するステップと、前記不揮発性メモリに、前記ＣＰＵにより実行可能な前記テレビチューナの機種に拘らない共通のプログラムであるチューナ制御ソフト及びＯＳをダウンロードするステップと、検査を行うステップと、前記不揮発性メモリに、前記ＣＰＵにより実行可能な前記テレビチューナの機種に特有のプログラムであるテレビ制御ソフトをダウンロードするステップとを順に実施することを特徴とするテレビチューナの製造方法。
【請求項２】
前記チューナ制御ソフトが、ハードウェアドライバソフト、アプリケーションインタフェースソフト、チャンネルコントロールソフトであり、前記テレビ制御ソフトが、ディスプレイメニュー制御ソフト、リモコンデザインソフトであることを特徴とする請求項１記載のテレビチューナの製造方法。
【請求項３】
選局回路と、復調回路と、不揮発性メモリと、ＣＰＵとを備えて構成されるテレビチューナにおいて、請求項１または２記載のテレビチューナの製造方法により製造されたことを特徴とするテレビチューナ。
【請求項４】
請求項３記載のテレビチューナにおいて、前記選局回路と、復調回路と、不揮発性メモリと、ＣＰＵとを含む部品が回路基板に実装された状態でケース内に収納されていることを特徴とするテレビチューナ。
【発明の詳細な説明】
【技術分野】
【０００１】
本発明は、テレビチューナの製造方法及びテレビチューナに係り、特に、製造時に、出荷までの管理を容易に行うことができるテレビチューナの製造方法及びテレビチューナに関する。
【背景技術】
【０００２】
近年、テレビチューナは、ＰＣ、ＰＤＡ、携帯電話機等の小型の電子機器に搭載可能に小型化されており、また、これらの電子機器の特性に合わせて、要求される機能の異なる機種が製造されている。そして、一般に、テレビチューナは、選局回路と、復調回路と、不揮発性メモリと、ＣＰＵとを備えて構成され、不揮発性メモリには、ハードウェアドライバソフト、アプリケーションインタフェースソフト、チャンネルコントロールソフト、ディスプレイメニュー制御ソフト、リモコンデザインソフト等が格納され、これらのソフトは、同様に不揮発性メモリに格納されたＯＳの下でＣＰＵにより実行される。
【０００３】
前述したようなテレビチューナの製造には、前述の不揮発性メモリ内への必要なソフトの格納、部品の実装、検査等の作業が必要であり、また、これらの作業中に、機種毎にそれらを判別可能に管理する必要がある。
【０００４】
図３は従来技術によるテレビチューナの製造方法の例を説明する図であり、図３により、従来技術によるテレビチューナの製造時方法について説明する。なお、製造するテレビチューナは、選局回路と、復調回路と、不揮発性メモリと、ＣＰＵとのそれぞれが機能部品として構成され、これらの機能部品を備えて構成されるものとする。
【０００５】
図３（ａ）に示す例は、機能部品の回路基板への実装作業を行う前に、不揮発性メモリに、必要なソフトであるプログラムをダウンロードする例である。この例において、まず、組み込み前の不揮発性メモリに、ロムライタ等を使用して必要なソフトを構成するプログラムの全てをダウンロードする。この場合にダウンロードするプログラムは、テレビチューナの機種に拘らない共通のプログラムであるＯＳ及びチューナ制御ソフトとしてのハードウェアドライバソフト、アプリケーションインタフェースソフト、チャンネルコントロールソフト、及び、テレビチューナの機種に特有のプログラムであるテレビ制御ソフトとしてのディスプレイメニュー制御ソフト、リモコンデザインソフトである（工程３０１）。
【０００６】
その後、全ての機能部品を回路基板に実装する。この実装の後、機能部品を搭載した回路基板は、テレビチューナの機種毎に仕分けされて管理され、次の工程に進む（工程３０２）。
【０００７】
工程３０２の処理後にテレビチューナの機種毎に仕分けされた機能部品が搭載された回路基板は、機種毎に検査され（工程３０３）て出荷される（工程３０４）。
【０００８】
図３（ｂ）に示す例は、機能部品の回路基板への実装作業を行った後に、不揮発性メモリに、必要なソフトであるプログラムをダウンロードする例である。この例において、まず、全ての機能部品の回路基板への実装作業を行う（工程３０６）。
【０００９】
機能部品の回路基板への実装の後、不揮発性メモリに、デバッガ等を使用して必要なソフトを構成するプログラムの全てをダウンロードする。この場合にダウンロードするプログラムは、前述した工程３０１で説明したものと同一である。このプログラムのダウンロードの後、機能部品が搭載された回路基板は、テレビチューナの機種毎に仕分けされて管理され、次の工程に進む（工程３０７）。
【００１０】
工程３０７の処理後にテレビチューナの機種毎に仕分けされて、機能部品が搭載された回路基板は、機種毎に検査され（工程３０８）て出荷される（工程３０９）。
【００１１】
なお、テレビチューナを含むテレビジョン受像機に関する従来技術として、例えば、特許文献１等に記載された技術が知られている。
【特許文献１】特開平５−１１１０３３号公報
【発明の開示】
【発明が解決しようとする課題】
【００１２】
前述した従来技術によるテレビチューナの製造方法は、テレビチューナの機種に拘らない共通のプログラムであるチューナ制御ソフトと、テレビチューナの機種に特有のプログラムであるテレビ制御ソフトとを一括してダウンロードしているため、プログラムのダウンロード後の全工程において、テレビチューナの機種（一般には、利用する顧客毎に機種が異なる）毎に管理を行う必要があり、在庫管理等の管理が煩雑になるという問題点を有している。
【００１３】
このため、前述した従来技術は、前述した管理にミス等が生じた場合、仕掛り品が発生した際に、他の顧客向けのプログラムが不揮発性メモリにダウンロードされた製品の混入を生じさせたり、仕掛りの途中でキャンセルが発生した場合、そのキャンセルされた製品の不揮発性メモリへのプログラムのダウンロードを全てやり直さなければならなくなることになる。
【００１４】
本発明の目的は、前述した従来技術の問題点を解決し、製造時に、出荷までの管理を容易に行うことができるテレビチューナの製造方法及びテレビチューナを提供することにある。
【課題を解決するための手段】
【００１５】
本発明によれば前記目的は、選局回路と、復調回路と、不揮発性メモリと、ＣＰＵとを備えて構成されるテレビチューナの製造方法において、前記選局回路と、復調回路と、不揮発性メモリと、ＣＰＵとを含む部品を実装するステップと、前記不揮発性メモリに、前記ＣＰＵにより実行可能な前記テレビチューナの機種に拘らない共通のプログラムであるチューナ制御ソフト及びＯＳをダウンロードするステップと、検査を行うステップと、前記不揮発性メモリに、前記ＣＰＵにより実行可能な前記テレビチューナの機種に特有のプログラムであるテレビ制御ソフトをダウンロードするステップとを順に実施することにより達成される。
【００１６】
また、前記目的は、前述において、前記チューナ制御ソフトが、ハードウェアドライバソフト、アプリケーションインタフェースソフト、チャンネルコントロールソフトであり、前記テレビ制御ソフトが、ディスプレイメニュー制御ソフト、リモコンデザインソフトであることにより達成される。
【００１７】
また、前記目的は、選局回路と、復調回路と、不揮発性メモリと、ＣＰＵとを備えて構成されるテレビチューナにおいて、前述したテレビチューナの製造方法により製造されたことにより達成される。
【００１８】
また、前記目的は、前述において、前記選局回路と、復調回路と、不揮発性メモリと、ＣＰＵとを含む部品が回路基板に実装された状態でケース内に収納されていることにより達成される。
【発明の効果】
【００１９】
本発明によれば、テレビチューナの製造時に、機種毎に管理を簡略に行うことを可能とし、在庫管理等の管理における他の機種の混在等を防止することができる。
【発明を実施するための最良の形態】
【００２０】
以下、本発明によるテレビチューナの製造方法及びテレビチューナの実施形態を図面により詳細に説明する。
【００２１】
図１は本発明の一実施形態によるテレビチューナの製造方法を説明する図、図２は本発明の一実施形態によるテレビチューナの構造を示す斜視図である。図２において、２１はアンテナ接続端子、２２はケース、２３は選局回路、２４は復調回路、２５は不揮発性メモリ、２６はＣＰＵ、２７は回路基板である。
【００２２】
本発明の実施形態によるテレビチューナは、図２に示すように、選局回路２３と、復調回路２４と、不揮発性メモリ２５と、ＣＰＵ２６とのそれぞれが機能部品として構成され、これらの機能部品が回路基板２７上に搭載され、機能部品が搭載された回路基板２７が金属板等により形成されたケース２２内に収納されて構成されている。また、ケース２２には、図示しないアンテナを接続するためのアンテナ端子２１が備えられており、さらに、機能部品に電力を供給する電源端子も備えられている。
【００２３】
次に、前述したような構造を持つテレビチューナの製造方法を図１に示す製造工程を示す図を参照して説明する。
【００２４】
まず、機能部品である選局回路２３と、復調回路２４と、不揮発性メモリ２５と、ＣＰＵ２６との全てを回路基板２７へ実装する作業、及び、これらの機能部品を搭載した回路基板２７をケース２２に収納する作業を行う（工程１０１）。
【００２５】
次に、デバッガ等を使用して、不揮発性メモリ２５に、テレビチューナの機種に拘らない共通のプログラムであるＯＳ及びチューナ制御ソフトとしてのハードウェアドライバソフト、アプリケーションインタフェースソフト、チャンネルコントロールソフト等をダウンロードする（工程１０２）。
【００２６】
工程１０２の処理後に、テレビチューナの機種に拘らない共通のプログラムが不揮発性メモリ２５にダウンロードされたテレビチューナの検査を行う。ここでの検査は、不揮発性メモリ２５に共通のプログラムだけを格納した状態で行うことになるので、機種毎に仕分けして管理する必要がなく、容易に、また、間違いのない検査を実行することができる（工程１０３）。
【００２７】
次に、デバッガ等を使用して、不揮発性メモリ２５に、テレビチューナの機種に特有のプログラム（顧客毎に異なる）であるテレビ制御ソフトとしてのディスプレイメニュー制御ソフト、リモコンデザインソフト等をダウンロードする。このテレビチューナの機種に特有のプログラムのダウンロードの実行の後には、テレビチューナの機種毎に仕分けられて管理されて出荷される（工程１０４、１０５）。
【００２８】
前述した図１に示す製造工程において、テレビチューナの機種に特有のプログラムのダウンロードの工程１０４は、その前の検査工程１０３の終了後に、テレビチューナの出荷ラベルにバーコードを付与しておき、このバーコードを読み取ることにより機種の判別を行って、ダウンロードするプログラムを自動的に選択して行うようにすることができる。
【００２９】
また、前述した本発明の実施形態でのテレビチューナの製造方法において、不揮発性メモリ２５にダウンロードするプログラムは、テレビチューナの機種に拘らない共通のプログラムであるチューナ制御ソフトとしてのハードウェアドライバソフト、アプリケーションインタフェースソフト、チャンネルコントロールソフトと、テレビチューナの機種に特有のプログラムであるテレビ制御ソフトとしてのディスプレイメニュー制御ソフト、リモコンデザインソフトとに予め分割して作成しておく。
【００３０】
また、テレビチューナの機種に特有のプログラムのダウンロードの実行の後、出荷までの間に、テレビチューナの機種に特有のプログラムのそれぞれについての検査を行うことも可能である。
【００３１】
前述したような本発明の実施形態によるテレビチューナの製造方法によれば、従来、最も煩雑であった検査工程の殆どを機種によらずに共通化することができ、出荷直前までの工程を共通化することができるので、機種展開時の出荷誤りを容易に防止することができる。
【図面の簡単な説明】
【００３２】
【図１】本発明の一実施形態によるテレビチューナの製造方法を説明する図である。
【図２】本発明の一実施形態によるテレビチューナの構造を示す斜視図である。
【図３】従来技術によるテレビチューナの製造方法の例を説明する図である。
【符号の説明】
【００３３】
２１  アンテナ接続端子
２２  ケース
２３  選局回路
２４  復調回路
２５  不揮発性メモリ
２６  ＣＰＵ
２７  回路基板
【図１】
2006325111.tif 000003
【図２】
2006325111.tif 000004
【図３】
2006325111.tif 000005